(57)【要約】【課題】機械的に選局して受信可能と判断した放送局の受信画質や音質が、ユーザーが感じる許容限界を上回るレベルか否かが分からず、選局サーチを行う毎に、機械的に選局した各々の放送局の画質や音質が満足できるものであるか否かを判断する必要があり、実用的な面での向上を図る必要があった。【解決手段】機械的に選局して受信可能と判断した放送電波の受信信号を再生し、その再生画質や音質がユーザーが設定した許容限度以上であると判断した放送電波に関する情報とデータを記憶し、この記憶したデータを基準にして２回目以降の選局を行う。【選択図】図１
2006203611.tif 000002
【特許請求の範囲】
【請求項１】
ユーザーの選局指令に対応して放送エリア内の放送電波をサーチしながら順次受信し、受信した前記放送電波の受信信号レベルあるいは前記放送電波の受信信号のＣ／Ｎと、予め設定された所定の信号レベルあるいは予め設定された所定のＣ／Ｎとを比較し、前記所定の信号レベル以上あるいは前記所定のＣ／Ｎ以上であると判断した前記放送電波の受信信号から映像および／または音声を再生し、再生した前記映像および／または音声の画質および／または音質がユーザーが設定した許容限界以上の質であるか否かを判断して前記許容限界以上の質であると判断した前記放送電波を選択し、選択した前記放送電波に関する情報とデータを記憶することを特徴とする放送受信機における選局方法。
【請求項２】
ユーザーが設定した許容限界以上の質であると判断した放送電波に関する情報とデータが記憶されている場合は、ユーザーの選局指令に対応して放送エリア内の放送電波をサーチしながら順次受信し、受信した前記放送電波の受信信号レベルあるいは前記放送電波の受信信号のＣ／Ｎと、記憶している前記放送電波に関する前記データに基づき設定された信号レベルあるいはＣ／Ｎとを比較して、前記データに基づき設定された信号レベル以上あるいはＣ／Ｎ以上であると判断された前記放送電波を選択し、選択した前記放送電波に関する情報を記憶することを特徴とする請求項１記載の放送受信機における選局方法。
【請求項３】
放送電波に関する情報とデータは、前記放送電波のチャンネルおよび／または周波数と、その受信信号レベルあるいは受信信号のＣ／Ｎ、および／または復調時のブロックエラーレートであることを特徴とする請求項１または２記載の放送受信機における選局方法。
【発明の詳細な説明】
【技術分野】
【０００１】
本発明は、テレビ放送やラジオ放送などの放送を受信する放送受信機、取り分け携帯型放送受信機における選局方法に関する。
【背景技術】
【０００２】
テレビ放送やラジオ放送は、混信を避けるために地域によって使用できる電波の周波数が異なっている。このため、携帯型テレビ放送受信機あるいは携帯型ラジオ放送受信機を携帯してテレビ放送あるいはラジオ放送を受信しながら自動車や列車などで移動している時に、受信していた放送チャンネル(放送波)が受信できなくなることがある。このような場合、移動先で受信可能なテレビ放送あるいはラジオ放送を受信しようとすると、再び受信可能な放送チャンネルや受信周波数をサーチして選局する必要がある。
【０００３】
ここで、従来の放送受信機において、どのようにして選局がなされていたかを説明する。
【０００４】
図３は、従来の放送受信機における選局部の構成を示すブロック図である。図３において、従来の放送受信機における選局部は、マイクロコンピュータ３００で機能を構成しているチューナ制御部３０１、自動選局制御部３０２、自動選局判断処理部３０３および初期状態判断処理部３０４に加え、チューナ３０５とメモリ３０６を備えている。自動選局制御部３０２は、チューナ制御部３０１を通してチューナ３０５に対し選局を指示するが、この選局をする場合のチャネル情報や周波数情報等の選局データはメモリ３０６に記憶されている。メモリ３０６が初期状態であるか否かは初期状態判断処理部３０４で判断されるが、自動選局判断処理部３０３は、初期状態判断処理部３０４からメモリ３０６が初期状態であるとの判断情報を得ると、自動選局制御部３０２に指示して、メモリ３０６に記憶されている選局データに基づき自動的に順次プリセットされた選局を開始させる。選局の具体的な方法は、自動選局制御部３０２が、自動選局判断処理部３０３の判断結果に基づき、チューナ制御部３０１を通してチューナ３０５に対し、所定の周波数帯域内をサーチしながら受信した放送波の電界強度が、メモリ３０６から入手した所定レベルと比較して所定レベル以上であるか否かを判断しながら、所定レベル以上の放送局の電波を順次捕捉するように指示し、その補足した放送局の情報をメモリ３０６に記憶していく、といった構成が取られている。このような選局方法に関する技術は、特許文献１に開示されている。
【特許文献１】特開平９−３０７４０６号公報
【発明の開示】
【発明が解決しようとする課題】
【０００５】
しかしながら、上記のように自動的あるいは機械的に選局して受信可能と判断した放送局の受信映像の画質や受信音声の音質が、ユーザーの好みや許容限界を上回るレベルになっているか否かの判断はできない。そのため、選局のためのサーチを行う毎に、ユーザーは自動的に選局したそれぞれの放送局の再生された画質および／または音質が満足できるものであるか否かを判断する必要があり、実用性が劣るという問題点があった。
【０００６】
本発明は、このような従来技術の問題点を解消するもので、受信映像の画質および／または受信音声の音質が、ユーザーの好みや許容限界を上回るレベルになっている放送チャンネルまたは放送周波数を自動選局することができる放送受信機の選局方法を提供することを目的とする。
【課題を解決するための手段】
【０００７】
上記課題を解決するために、第１の本発明（請求項１）は、ユーザーの選局指令に対応して放送エリア内の放送電波をサーチしながら順次受信し、受信した前記放送電波の受信信号レベルあるいは前記放送電波の受信信号のＣ／Ｎと、予め設定された所定の信号レベルあるいは予め設定された所定のＣ／Ｎとを比較し、前記所定の信号レベル以上あるいは前記所定のＣ／Ｎ以上であると判断した前記放送電波の受信信号から映像および／または音声を再生し、再生した前記映像および／または音声の画質および／または音質がユーザーが設定した許容限界以上の質であるか否かを判断して前記許容限界以上の質であると判断した前記放送電波を選択し、選択した前記放送電波に関する情報とデータを記憶することを特徴とする放送受信機における選局方法である。
【０００８】
第２の本発明（請求項２）は、ユーザーが設定した許容限界以上の質であると判断した放送電波に関する情報とデータが記憶されている場合は、ユーザーの選局指令に対応して放送エリア内の放送電波をサーチしながら順次受信し、受信した前記放送電波の受信信号レベルあるいは前記放送電波の受信信号のＣ／Ｎと、記憶している前記放送電波に関する前記データに基づき設定された信号レベルあるいはＣ／Ｎとを比較して、前記データに基づき設定された信号レベル以上あるいはＣ／Ｎ以上であると判断された前記放送電波を選択し、選択した前記放送電波に関する情報を記憶することを特徴とする第１の本発明に記載の放送受信機における選局方法である。
【０００９】
第３の本発明（請求項３）は、放送電波に関する情報とデータは、前記放送電波のチャンネルおよび／または周波数と、その受信信号レベルあるいは受信信号のＣ／Ｎ、および／または復調時のブロックエラーレートであることを特徴とする第１の本発明または第２の本発明に記載の放送受信機における選局方法である。
【発明の効果】
【００１０】
本発明の放送受信機における選局方法によれば、ユーザーは、受信した映像信号および／または音声信号の画質および／または音質が、自分自身が定めた許容限度以上のレベルになっている放送チャンネルを簡単に選局サーチすることができ、特に、異なる放送エリアを移動して使用する可能性が高く、そのために選局サーチをする頻度が高い携帯型の放送受信機を使用する場合においては、より大きな効果を発揮することができる。
【発明を実施するための最良の形態】
【００１１】
以下、本発明の実施の形態を、図面を参照しながら説明する。
【００１２】
（実施の形態１）
図１は、本発明の実施の形態１における、本発明に係る選局方法を適用した放送受信機の構成の一例を示すブロック図である。
【００１３】
図１において、１０１は放送電波を受信するチューナ、１０２はチューナ１０１で受信された信号を基にコンテンツであるＡＶ情報を再生するためのＡＶ信号処理部、１０３はＡＶ信号処理部１０２で再生されたＡＶ情報を表示するための表示部、１０４はユーザーが放送受信機を操作するための操作部、１０５は種々の情報を記憶するためのメモリ、１０６は操作部１０４からの指示に基づき、チューナ１０１、ＡＶ信号処理部１０２、表示部１０３及びメモリ１０５などの各構成ブロックを制御するための制御部である。なお、表示部１０３は、映像などの表示だけでなく音声を再生するスピーカを含む。
【００１４】
次に、放送受信機において実行される選局動作のフローチャートを示した図２を参照しながら、実施の形態１における選局方法を説明する。
【００１５】
まず、初めて選局を実施する場合について説明する。ユーザーが放送受信機の操作部１０４において「選局」を指示する操作をすると、制御部１０６はユーザーの選局指示の操作に基づきチューナ１０１を制御して選局を開始する（ステップＳ１）。具体的に選局を開始する前に、制御部１０６はメモリ１０５に記憶されている情報から初めての選局か否かを判断し（ステップＳ２）、初めての選局である場合、制御部１０６はチューナ１０１に対し、メモリ１０５から読み出した所定の信号レベルあるいは所定のＣ／Ｎ(例えば、放送受信機メーカーが予め設定した値)を設定し（ステップＳ３）、放送電波の受信を開始させ（ステップＳ４）、受信した放送電波の信号レベルあるいは受信した放送電波のＣ／Ｎが、設定された所定の信号レベル以上あるいは設定された所定のＣ／Ｎ以上であるか否かを判断させる（ステップＳ５）。ステップＳ５において、受信した放送電波の信号レベルあるいは受信した放送電波のＣ／Ｎが、設定された所定の信号レベル以上あるいは設定された所定のＣ／Ｎ以上であると判断された場合、制御部１０６はＡＶ信号処理部１０２に対し、その受信した信号の信号処理を行わせてＡＶ情報を再生させ、その再生させたＡＶ情報、すなわち映像信号及び／または音声信号を表示部１０３に表示させる（ステップＳ６）。ユーザーは、表示部１０３に表示された映像及び／または音声を視聴し、表示された映像及び／または音声の画質及び音質がユーザーの許容限度内か否かを判断する（ステップＳ７）。ステップＳ７において、画質及び／または音質がユーザーの許容限度内であると判断された場合、ユーザーは、その受信チャンネルに関する情報を記憶するように操作部１０４を通して放送受信機に対して指示する。ユーザーから記憶するようにとの指示を受けると、制御部１０６は、許容限度内であると判断された受信チャンネルに関する情報、例えば、受信チャンネル、受信信号レベルあるいは受信信号のＣ／Ｎ、およびデジタル放送の場合はブロックエラーレートなどの情報をメモリ１０５に記憶する（ステップＳ８）。このようなステップＳ４からステップＳ８の動作を選局の対象帯域、例えば、ＵＨＦ帯のテレビ放送であれば１３チャンネルから６２チャンネルの選局動作が終了するまで繰り返し実施し、選局の対象帯域内でのサーチが終了すると、制御部１０６はチューナ１０１に対して選局動作を終了させる（ステップＳ１３）。上記のように選局の操作を実施することにより、受信可能で且つ再生された映像信号及び／または音声信号の画質及び／または音質がユーザーの許容限界内であると判断された受信チャンネルの情報、即ち、放送チャンネルや受信信号レベルあるいは受信信号のＣ／Ｎ、及びデジタル放送の場合はブロックエラーレートなどがメモリ１０５に記録されることになる。
【００１６】
次に、２回目以降の選局を実施する場合について説明する。ステップＳ２において、初めての選局でない、すなわち、２回目以降の選局であると判断された場合、メモリ１０５には所定の信号レベルあるいは所定のＣ／Ｎではなく、今回より前に実施した選局の操作において記憶された受信チャンネルに関するデータ、すなわち、ユーザーが受信チャンネルの画質及び／または音質が許容限度内にあると判断したときの受信信号レベルあるいは受信信号のＣ／Ｎや、デジタル放送の場合はブロックエラーレートなどが記憶されているので、制御部１０６はチューナ１０１に対し、メモリ１０５から記憶されている受信チャンネルの情報を読み出し、この読み出した受信チャンネルのデータに基づいて、例えば、この読み出した受信チャンネルのデータの中で最も低い受信信号レベルないしは最も低い受信信号のＣ／Ｎ、あるいは最も大きなブロックエラーレートを新たな所定の基準値として設定し（ステップＳ９）、放送電波の受信を開始させ（ステップＳ１０）、受信した放送電波の信号レベルあるいは受信した放送電波のＣ／Ｎが設定された新たな所定の基準値以上であるか否かを判断させる（ステップＳ１１）。ステップＳ１１において、受信した放送電波の信号レベルあるいは受信した放送電波のＣ／Ｎが設定された新たな所定の基準値以上であると判断された場合、制御部１０６は、受信した放送電波の放送チャンネルをメモリ１０５に記憶させる（ステップＳ１２）。このようなステップＳ１０からステップＳ１２の動作を、選局の対象帯域内でのサーチが終了するまで繰り返し実施し、選局の対象帯域内でのサーチが終了すると、制御部１０６はチューナ１０１に対して選局動作を終了させる（ステップＳ１３）。
【００１７】
上記のように、２回目以降の選局動作において、ユーザーは、受信した映像信号および／または音声信号の画質及び／または音質が、自分自身が定めた許容限度以上のレベルになっている放送チャンネルを簡単に選局することが可能である。
【産業上の利用可能性】
【００１８】
本発明に係る放送受信機における選局方法は、ユーザーが異なる放送エリアを移動して使用する可能性が高い携帯型の放送受信機に有用である。
【図面の簡単な説明】
【００１９】
【図１】本発明の実施の形態１における、本発明に係る選局方法を適用した放送受信機の構成を示すブロック図
【図２】本発明の実施の形態１における、本発明に係る選局方法を適用した放送受信機において実行される選局動作のフローチャート
【図３】従来の放送受信機における選局部の構成を示すブロック図
【符号の説明】
【００２０】
１０１  チューナ
１０２  ＡＶ信号処理部
１０３  表示部
１０４  操作部
１０５  メモリ
１０６  制御部
３００  マイクロコンピュータ
３０１  チューナ制御部
３０２  自動選局制御部
３０３  自動選局判断処理部
３０４  初期状態判断処理部
３０５  チューナ
３０６  メモリ
【図１】
2006203611.tif 000003
【図２】
2006203611.tif 000004
【図３】
2006203611.tif 000005